(57)【要約】【課題】外部衝撃からディスクのデータ記録面を保護できるＨＤＤのディスクダンパを提供すること。【解決手段】ベース部材１１１と；上記ベース部材上に設置されるスピンドルモータ１３０と；上記スピンドルモータに装着された複数のデータ保存用のディスク１２０と；上記ベース部材上に回動可能に設置されて，記録／再生ヘッドを移動させるアクチュエータ１４０と；上記複数のディスクの間に配置されて上記ディスクの振動を低減させるディスクダンパ１５０と；上記ディスクダンパの上面と底面とに設けられ，データが記録されない上記ディスクの外周端部に対応する位置に，上記ディスクに向かって突出形成されたディスクプロテクタ１５４と；を備えるＨＤＤが提供される。これにより，外部からの衝撃等によりディスクが傾く場合に，ディスクの外周端部のみがディスクプロテクタに接触するので，ディスクのデータ記録面の損傷を防止できる。【選択図】図１
2006019012.tif 000002
【特許請求の範囲】
【請求項１】
ハードディスクドライブのスピンドルモータに装着された複数のディスクの間に配置されて，前記ディスクの振動を低減させるディスクダンパにおいて：
前記ディスクダンパの上面と底面には，データが記録されない前記ディスクの外周端部に対応する位置に，前記ディスクに向かって所定高さだけ突出したディスクプロテクタが設けられたことを特徴とする，ハードディスクドライブのディスクダンパ。
【請求項２】
前記ディスクダンパは，一部が開放されたリング状を有することを特徴とする，請求項１に記載のハードディスクドライブのディスクダンパ。
【請求項３】
前記ディスクプロテクタは，前記ディスクダンパの外周端部に沿って延設されることを特徴とする，請求項１または２に記載のハードディスクドライブのディスクダンパ。
【請求項４】
前記ディスクプロテクタは，前記ディスクダンパの外周端部に沿って所定間隔離隔して複数配置されることを特徴とする，請求項１〜３のいずれかに記載のハードディスクドライブのディスクダンパ。
【請求項５】
前記ディスクプロテクタは，前記ディスクダンパと一体に形成されることを特徴とする，請求項１〜４のいずれかに記載のハードディスクドライブのディスクダンパ。
【請求項６】
前記ディスクプロテクタは，前記ディスクダンパと別体に形成され，前記ディスクの上面と底面とに固着されることを特徴とする，請求項１〜４のいずれかに記載のハードディスクドライブのディスクダンパ。
【請求項７】
前記ディスクプロテクタは，粘弾性物質からなることを特徴とする，請求項６に記載のハードディスクドライブのディスクダンパ。
【請求項８】
ベース部材と；
前記ベース部材上に設置されるスピンドルモータと；
前記スピンドルモータに装着された複数のデータ保存用のディスクと；
前記ベース部材上に回動可能に設置されて，記録／再生ヘッドを前記ディスク上の所定位置に移動させるアクチュエータと；
前記複数のディスクの間に配置されて，前記ディスクの振動を低減させるディスクダンパと；
前記ディスクダンパの上面と底面とに設けられ，データが記録されない前記ディスクの外周端部に対応する位置に，前記ディスクに向かって所定高さだけ突出したディスクプロテクタと；
を備えることを特徴とする，ハードディスクドライブ。
【請求項９】
前記ディスクダンパは，前記アクチュエータの動作範囲を含む一部が開放されたリング状を有することを特徴とする，請求項８に記載のハードディスクドライブ。
【請求項１０】
前記ディスクプロテクタは，前記ディスクダンパの外周端部に沿って延設されることを特徴とする，請求項８または９に記載のハードディスクドライブ。
【請求項１１】
前記ディスクプロテクタは，前記ディスクダンパの外周端部に沿って所定間隔離隔して複数配置されることを特徴とする，請求項８〜１０のいずれかに記載のハードディスクドライブ。
【請求項１２】
前記ディスクプロテクタは，前記ディスクダンパと一体に形成されることを特徴とする，請求項８〜１１のいずれかに記載のハードディスクドライブ。
【請求項１３】
前記ディスクプロテクタは，前記ディスクダンパと別体に形成され，前記ディスクの上面と底面とに固着されることを特徴とする，請求項８〜１１のいずれかに記載のハードディスクドライブ。
【請求項１４】
前記ディスクプロテクタは，粘弾性物質からなることを特徴とする，請求項１３に記載のハードディスクドライブ。
【請求項１５】
相隣接したディスクの間に配置されて，前記ディスクの振動を低減させるディスクダンパと；
データが記録されていない前記相隣接したディスクの外周端部に対応する位置に配置され，前記ディスクダンパの両面から前記相隣接したディスク側に突出形成されたディスクプロテクタと；
を備え，
前記ディスクが振動する時，前記ディスクのデータ保存領域が前記ディスクダンパに接触するより前に，まず前記ディスクの外周端部が前記ディスクプロテクタに接触することを特徴とする，ハードディスクドライブ。
【請求項１６】
前記ディスクダンパは，平板状を有していることを特徴とする，請求項１５に記載のハードディスクドライブ。
【請求項１７】
前記ディスクダンパは，前記ディスクダンパの外周に突設された支持突起を有し，前記ディスクダンパは，前記支持突起により前記ハードディスクドライブのハウジングに固定されることを特徴とする，請求項１５または１６に記載のハードディスクドライブ。
【請求項１８】
前記ディスクプロテクタは，ゴムからなることを特徴とする，請求項１５〜１７のいずれかに記載のハードディスクドライブ。
【請求項１９】
前記ディスクプロテクタは，前記ディスクダンパの上面と底面の外周端部に沿って所定間隔離隔して複数配置されることを特徴とする，請求項１５〜１８のいずれかに記載のハードディスクドライブ。
【発明の詳細な説明】
【技術分野】
【０００１】
本発明は，ハードディスクドライブ（Ｈａｒｄ  Ｄｉｓｋ  Ｄｒｉｖｅ：以下，「ＨＤＤ」という。）およびそのディスクダンパに係り，より詳細には，回転するディスクの振動を低減させるためのディスクダンパと，外部衝撃からディスクの記録面を保護するためのディスクプロテクタとを備えるＨＤＤに関する。
【背景技術】
【０００２】
コンピュータの情報保存装置のうち一つであるＨＤＤは，記録／再生ヘッドを使用して，ディスクに保存されたデータを再生，ディスクにデータを記録する装置である。このようなＨＤＤにおいて，上記ヘッドは，回転するディスクの記録面から所定高さ浮上した状態で，アクチュエータにより所望の位置に移動しつつその機能を行う。
【０００３】
このようなＨＤＤは，スピンドルモータと，上記スピンドルモータに装着された一つまたは複数のデータ保存用のディスクと，データの再生及び記録のための記録／再生ヘッドをディスク上の所定位置に移動させるためのアクチュエータと，を備えている。
【０００４】
上記ディスク，スピンドルモータ及びアクチュエータは，ベース部材とカバー部材とからなるハウジングにより取り囲まれている。上記ベース部材及びカバー部材は，複数の締結スクリューを使用して組立てられる。
【０００５】
一方，このような構成を有するＨＤＤにおいては，スピンドルモータの部品欠陥，ディスクの偏心組立て，ＨＤＤ内の不規則な空気の流動などにより，回転するディスクに振動が発生する。特に，高速回転するディスクの周辺，例えば，相隣接するディスクの間の空間には，無視できない空気の流動が発生し，それは，ディスクの振動を誘発して，記録／再生ヘッドのデータ記録及び再生能力を低下させ，この結果，ＨＤＤの性能に悪影響を及ぼす。
【０００６】
近年では，上記問題点を改善するために，ディスクの間に薄板状のディスクダンパを設ける方案が開発された。このように，ディスクの間にディスクダンパを設けることで，ディスクとディスクダンパとの間で圧縮された空気のダンピング効果（振動の制動効果）により，ディスクの振動が低減しうる。
【特許文献１】特開２０００−１４９４９３号公報
【発明の開示】
【発明が解決しようとする課題】
【０００７】
ところが，上記のようにディスク間にディスクダンパを設けてディスクとディスクダンパとの間隔が狭くなれば，外部から衝撃が加えられるか，またはＨＤＤの衝撃テスト過程で，ディスクが偏いてディスクダンパに接触しやすくなり，これにより，ディスクのデータ記録面が損傷されるという問題点が発生する。また，ディスクダンパの設置過程でも，ディスクダンパがディスクに接触して，ディスクのデータ記録面が損傷される可能性が高い。
【０００８】
本発明は，上記のような従来技術の問題点を解決するためになされたものであって，特に，外部衝撃からディスクのデータ記録面を保護するためのディスクプロテクタが設けられたディスクダンパと，それを備えるＨＤＤとを提供するところにその目的がある。
【０００９】
そこで，本発明は，上記問題に鑑みてなされたものであり，本発明の目的とするところは，外部衝撃からディスクのデータ記録面を保護することが可能な，新規かつ改良されたハードディスクドライブのディスクダンパ，及びこれを備えたハードディスクドライブを提供することにある。
【課題を解決するための手段】
【００１０】
上記課題を解決するために，本発明のある観点によれば，ハードディスクドライブのスピンドルモータに装着された複数のディスクの間に配置されて，上記ディスクの振動を低減させるディスクダンパが提供される。このハードディスクドライブのディスクダンパにおいて，上記ディスクダンパの上面と底面には，データが記録されない上記ディスクの外周端部に対応する位置に，上記ディスクに向かって所定高さだけ突出したディスクプロテクタが設けられたことを特徴とする。
【００１１】
また，上記ディスクダンパは，一部が開放されたリング状を有するようにしてもよい。
【００１２】
また，上記ディスクプロテクタは，上記ディスクダンパの外周端部に沿って延設されるようにしてもよい。
【００１３】
また，上記ディスクプロテクタは，上記ディスクダンパの外周端部に沿って所定間隔離隔して複数配置されるようにしてもよい。
【００１４】
また，上記ディスクプロテクタは，上記ディスクダンパと一体に形成されるようにしてもよい。
【００１５】
また，上記ディスクプロテクタは，上記ディスクダンパと別体に形成され，上記ディスクの上面と底面とに固着されるようにしてもよい。
【００１６】
また，上記ディスクプロテクタは，粘弾性物質からなるようにしてもよい。
【００１７】
また，上記課題を解決するために，本発明の別の観点によれば，ベース部材と；上記ベース部材上に設置されるスピンドルモータと；上記スピンドルモータに装着された複数のデータ保存用のディスクと；上記ベース部材上に回動可能に設置されて，記録／再生ヘッドを上記ディスク上の所定位置に移動させるアクチュエータと；上記複数のディスクの間に配置されて，上記ディスクの振動を低減させるディスクダンパと；上記ディスクダンパの上面と底面とに設けられ，データが記録されない上記ディスクの外周端部に対応する位置に，上記ディスクに向かって所定高さだけ突出したディスクプロテクタと；を備えることを特徴とする，ハードディスクドライブが提供される。
【００１８】
また，上記ディスクダンパは，上記アクチュエータの動作範囲を含む一部が開放されたリング状を有するようにしてもよい。
【００１９】
また，上記ディスクプロテクタは，上記ディスクダンパの外周端部に沿って延設されるようにしてもよい。
【００２０】
また，上記ディスクプロテクタは，上記ディスクダンパの外周端部に沿って所定間隔離隔して複数配置されるようにしてもよい。
【００２１】
また，上記ディスクプロテクタは，上記ディスクダンパと一体に形成されるようにしてもよい。
【００２２】
また，上記ディスクプロテクタは，上記ディスクダンパと別体に形成され，上記ディスクの上面と底面とに固着されるようにしてもよい。
【００２３】
また，上記ディスクプロテクタは，粘弾性物質からなるようにしてもよい。
【００２４】
また，上記課題を解決するために，本発明の別の観点によれば，相隣接したディスクの間に配置されて，上記ディスクの振動を低減させるディスクダンパと；データが記録されていない上記相隣接したディスクの外周端部に対応する位置に配置され，上記ディスクダンパの両面から上記相隣接したディスク側に突出形成されたディスクプロテクタと；を備え，上記ディスクが振動する時，上記ディスクのデータ保存領域が上記ディスクダンパに接触するより前に，まず上記ディスクの外周端部が上記ディスクプロテクタに接触することを特徴とする，ハードディスクドライブが提供される。
【００２５】
また，上記ディスクダンパは，平板状を有しているようにしてもよい。
【００２６】
また，上記ディスクダンパは，上記ディスクダンパの外周に突設された支持突起を有し，上記ディスクダンパは，上記支持突起により上記ハードディスクドライブのハウジングに固定されるようにしてもよい。
【００２７】
また，上記ディスクプロテクタは，ゴムからなるようにしてもよい。
【００２８】
また，上記ディスクプロテクタは，上記ディスクダンパの上面と底面の外周端部に沿って所定間隔離隔して複数配置されるようにしてもよい。
【００２９】
上記のような本発明によれば，外部からの衝撃などによりディスクが傾いた場合でも，ディスクの外周端部のみがディスクプロテクタに接触するので，ディスクのデータ記録面の損傷を防止できる。
【００３０】
つまり，本発明によれば，ＨＤＤに外部から衝撃が加えられたり，或いは，衝撃テスト過程でディスクが偏いたりしても，まず，データが記録されていないディスクの外周端部がディスクプロテクタに接触する。これにより，ディスクのデータ記録面は，ディスクダンパに接触することを防止できる。また，ディスクダンパの設置過程でも，ディスクダンパがディスクの記録面に接触する危険性を低減できる。したがって，ディスクとディスクダンパの接触により，ディスクのデータ記録面が損傷されるという従来の問題点を解決できる。
【発明の効果】
【００３１】
以上説明したように本発明によれば，ディスクとディスクダンパとの接触により，ディスクのデータ記録面が損傷される問題を解消できる。
【発明を実施するための最良の形態】
【００３２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３３】
（第１の実施形態）
まず，本発明の第１の実施形態にかかるディスクダンパ（振動制動部材）及びディスクプロテクタ（ディスク保護部材）を備えるＨＤＤについて説明する。図１は，本実施形態に係るディスクダンパ及びディスクプロテクタを備えるＨＤＤを示す分解斜視図であり，図２は，図１に示されたＨＤＤを示す部分垂直断面図である。
【００３４】
図１及び図２を共に参照すれば，本実施形態にかかるＨＤＤは，データ保存用のディスク１２０ａ，１２０ｂと，上記ディスク１２０ａ，１２０ｂを回転させるためのスピンドルモータ１３０と，記録／再生ヘッドを上記ディスク１２０ａ，１２０ｂ上の所定位置に移動させるためのアクチュエータ１４０とが備える。
【００３５】
上記ディスク１２０ａ，１２０ｂ，スピンドルモータ１３０及びアクチュエータ１４０は，ベース部材１１１とカバー部材１１２とにより取り囲まれて保護される。上記ベース部材１１１とカバー部材１１２とは，複数の締結スクリュー１１９により互いに結合される。この時，ベース部材１１１とカバー部材１１２との間には，ＨＤＤ内部にホコリや湿気が流入することを防止するために，ガスケット１１４が挟み込まれる。上記ガスケット１１４は，一般的に粘弾性物質，例えば，ゴムで製造されて，ＨＤＤの振動を減衰させる機能も有する。
【００３６】
上記ディスク１２０ａ，１２０ｂは，データの記録のための記録媒体（例えば円盤状のハードディスク）である。複数のディスク１２０ａ，１２０ｂが，スピンドルモータ１３０に装着されて，スピンドルモータ１３０により回転する。各ディスク１２０ａ，１２０ｂの内周側には，ＨＤＤの作動停止時に，上記記録／再生ヘッドをパーキングさせるためのパーキングゾーン１２１が設けられている。さらに，各ディスク１２０ａ，１２０ｂにおけるパーキングゾーン１２１の外周側には，データが書き込まれて記録されるデータゾーン１２２が設けられる。しかし，データゾーン１２２の外側，すなわち，各ディスク１２０ａ，１２０ｂの上面及び下面の最外周に位置するリング状部分である外周端部１２３には，実質的にデータが記録されない。
【００３７】
上記スピンドルモータ１３０は，ディスク１２０ａ，１２０ｂを回転させるためのものであって，ベース部材１１１上に設置される。このスピンドルモータ１３０に，上記したように，複数のディスク１２０ａ，１２０ｂが装着される場合には，ディスク１２０ａ，１２０ｂの間隔を維持するためのリング状のスペーサ１３２がディスク１２０ａ，１２０ｂ間に挟まれ，スピンドルモータ１３０の上端部には，ディスク１２０ａ，１２０ｂの離脱を防止するためのディスククランプ１３４が結合される。
【００３８】
上記アクチュエータ１４０は，ディスク１２０ａ，１２０ｂに対してデータを記録／再生するための記録／再生ヘッド（以下，「ヘッド」という場合もある。）を，ディスク１２０ａ，１２０ｂ上の所定位置に移動させるためのものであって，上記ベース部材１１１上に回動可能に設置される。具体的には，上記アクチュエータ１４０は，ベース部材１１１に設置されたアクチュエータピボット１４７に回転可能に結合されたスイングアーム１４６と，スイングアーム１４６の一側端部に設置されて，上記ヘッドが搭載されたスライダー１４２をディスク１２０ａ，１２０ｂの表面側に付勢されるように支持するサスペンション１４４と，スイングアーム１４６を回転させるためのボイスコイルモータ（Ｖｏｉｃｅ  Ｃｏｉｌ  Ｍｏｔｏｒ：ＶＣＭ）１４８と，を有する。
【００３９】
上記ＶＣＭ１４８は，サーボ制御システムにより制御され，ＶＣＭコイルに印可される電流と，マグネットにより形成された磁場との相互作用により，フレミングの左手の法則に従う方向にスイングアーム１４６を回動させる。すなわち，ＨＤＤの電源がオンになって，ディスク１２０ａ，１２０ｂが回転し始めれば，ＶＣＭ１４８は，スイングアーム１４６を時計回り方向に回転させて，記録／再生ヘッドが搭載されたスライダー１４２を，ディスク１２０ａ，１２０ｂのパーキングゾーン１２１からデータゾーン１２２の上に移動させる。上記スライダー１４２は，回転するディスク１２０ａ，１２０ｂにより発生する揚力により，ディスク１２０ａ，１２０ｂの表面から所定高さ浮上し，このような状態で，スライダー１４２に搭載されたヘッドは，ディスク１２０ａ，１２０ｂの記録面に対してデータを再生または記録する機能を行う。逆に，ＨＤＤが作動しない時，すなわち，ディスク１２０ａ，１２０ｂの回転が停止した時には，上記ＶＣＭ１４８は，スイングアーム１４６を反時計回り方向に回動させて，ヘッドが搭載されたスライダー１４２をディスク１２０ａ，１２０ｂのパーキングゾーン１２１に移動させてパーキングさせる。
【００４０】
一方，ヘッドパーキングシステムには，上記したようなＣＳＳ（Ｃｏｎｔａｃｔ  Ｓｔａｒｔ  Ｓｔｏｐ）方式だけでなく，ランプローディング方式がある。ランプローディング方式のヘッドパーキングシステムは，ディスク１２０ａ，１２０ｂの外側にランプ（図示せず）を設置して，そのランプにヘッドをパーキングさせるシステムである。本発明は，ＣＳＳ方式だけでなく，ランプローディング方式のヘッドパーキングシステムを有するＨＤＤにも適用できる。
【００４１】
そして，本実施形態にかかるＨＤＤは，上記ディスク１２０ａ，１２０ｂの振動を低減させるためのディスクダンパ１５０と，外部衝撃からディスク１２０ａ，１２０ｂのデータ記録面を保護するためのディスクプロテクタ１５４とを備える。
【００４２】
上記ディスクダンパ１５０は，薄板状になっており，上記ディスク１２０ａ，１２０ｂの間に配置される。図示されたように，上記スピンドルモータ１３０に二つのディスク１２０ａ，１２０ｂが装着された場合には，二つのディスク１２０ａ，１２０ｂの間に一つのディスクダンパ１５０が配置され，スピンドルモータ１３０に三つ以上のディスクが装着された場合には，上記ディスクダンパ１５０は，互いに隣接したディスクの間にそれぞれ一つずつ配置される。そして，上記ディスクダンパ１５０は，ベース部材１１１に固定されて支持される。このために，上記ディスクダンパ１５０の外周には，複数の支持突起１５２が突設されている。上記支持突起１５２は，固定スクリュー１５９により，ベース部材１１１に対して固定される。
【００４３】
上記ディスクダンパ１５０の上面と，当該上面に対面するディスク１２０ｂの底面との間隔，及び，ディスクダンパ１５０の底面と，当該底面に対面するディスク１２０ａの上面との間隔は，例えば約０．３〜０．５ｍｍに維持される。このように，ディスクダンパ１５０とディスク１２０ａ，１２０ｂとの間隔が十分に狭くなれば，ディスクダンパ１５０とディスク１２０ａ，１２０ｂとの間の空間を流れる空気のダンピング作用により，ディスク１２０ａ，１２０ｂの振動を低減しうる。
【００４４】
上記ディスクダンパ１５０は，ＨＤＤの他の構成要素，例えば，アクチュエータ１４０と干渉されない範囲内で十分に広い面積を有することが好ましい。それは，上記ディスクダンパ１５０とディスク１２０ａ，１２０ｂとの相互対向面積が広いほど，更に効率的な空気ダンピング効果が得られるためである。具体的に，上記ディスクダンパ１５０は，上記アクチュエータ１４０の動作範囲を含む一部が開放されたリング状（例えば略Ｃ字形）を有する。
【００４５】
上記ディスクプロテクタ１５４は，上記ディスクダンパ１５０のディスク対向面，すなわち，ディスクダンパ１５０の上面と底面とに設けられる。このディスクプロテクタ１５４は，ディスク１２０ａ，１２０ｂのデータ記録面，すなわち，データゾーン１２２がディスクダンパ１５０に接触して損傷することを防止する機能を有する。
【００４６】
具体的には，上記ディスクプロテクタ１５４は，上記ディスクダンパ１５０の上面と底面のうち，ディスク１２０ａ，１２０ｂの外周端部１２３に対応する位置から，ディスク１２０ａ，１２０ｂに向かって所定高さ突出するように形成される。そして，上記ディスクプロテクタ１５４は，上記ディスクダンパ１５０の外周端部に沿って長く延びるように延長形成されうる。したがって，上記ディスクプロテクタ１５４も，ディスクダンパ１５０のように，上記アクチュエータ１４０の動作範囲を含む一部が開放されたリング状を有する。
【００４７】
このようなディスクプロテクタ１５４は，例えば，上記ディスクダンパ１５０と一体に形成されうる。例えば，上記ディスクダンパ１５０とディスクプロテクタ１５４とは，アルミニウム板材のプレス加工，アルミニウムダイカストまたはプラスチック射出成形などにより，共に製造されうる。この場合，ディスクプロテクタ１５４のための別途の製造工程が必要ないため，ディスクダンパ１５０とディスクプロテクタ１６５の製造工程が簡単であり，製造コストが節減され，かつ取扱が容易であるという長所がある。
【００４８】
上記したように，ディスクダンパ１５０の上面と底面とに上記一対のディスクプロテクタ１５４が突設されることによって，ディスク１２０ａ，１２０ｂの外周端部１２３とディスクプロテクタ１５４との間隔は，ディスク１２０ａ，１２０ｂのデータゾーン１２２とディスクダンパ１５０との間隔より狭くなる。
【００４９】
したがって，ＨＤＤに外部から衝撃が加えられるか，または衝撃テスト過程でディスク１２０ａ，１２０ｂが偏いた場合では，まず，データが記録されていないディスク１２０ａ，１２０ｂの外周端部１２３が，ディスクプロテクタ１５４に接触する。これにより，ディスク１２０ａ，１２０ｂのデータゾーン１２２がディスクダンパ１５０に接触することが防止して，データゾーン１２２を保護できる。
【００５０】
以下では，図３及び図４を参照して，上記したディスクプロテクタの変形例を説明する。
【００５１】
図３は，図１に示されたディスクプロテクタの第１変形例を示す斜視図である。
【００５２】
図３を参照すれば，ディスクプロテクタ２５４は，ディスクダンパ１５０とは別途の部材として別体に製造された後，ディスクダンパ１５０の上面と底面とにそれぞれ固着される。この時，上記ディスクプロテクタ２５４は緩衝性を有し，その硬度が，ディスク１２０ａ，１２０ｂの表面硬度より低い材質，例えば，天然ゴムまたは合成ゴムなどの粘弾性物質で構成されうる。この場合，外部衝撃によりディスク１２０ａ，１２０ｂがディスクプロテクタ２５４に衝突しても，ディスクプロテクタ１５４がその衝撃を吸収してディスク１２０ａ，１２０ｂの表面損傷を防止し，また，ディスク１２０ａ，１２０ｂの表面損傷によるパーティクルの発生を未然に防止できるという長所がある。もし，ディスク１２０ａ，１２０ｂの表面損傷によりパーティクルが発生すれば，ディスク１２０ａ，１２０ｂのデータゾーン１２２を損傷させてしまうだけでなく，記録／再生ヘッドのデータの記録及び再生能力を低下させるため，このようなパーティクルの発生は可能なかぎり抑制することが好ましい。
【００５３】
図４は，図１に示されたディスクプロテクタの第２変形例を示す斜視図である。
【００５４】
図４を参照すれば，ディスクプロテクタ３５４は，上記ディスクダンパ１５０の外周端部に沿って相互に所定間隔離隔して，複数，例えば，三つが配置されうる。この時，複数のディスクプロテクタ３５４は，支持突起１５２のそれぞれに隣接して，均等に配置されることが好ましい。これによって，ディスク１２０の破損を均等に防止できる。
【００５５】
そして，上記複数のディスクプロテクタ３５４も，上記したように，ディスクダンパ１５０と一体に形成されてもよいし，或いは，ディスクダンパ１５０とは別体に形成されて，ディスクダンパ１５０の上面と底面とにそれぞれ固着されてもよい。
【００５６】
また，上記複数のディスクプロテクタ３５４も，図３で説明したように，例えばゴム等の粘弾性物質からなりうる。
【００５７】
以上，本実施形態にかかる及びディスクプロテクタ１５４，２５４，３５４が設置されたディスクダンパ１５０と，このディスクダンパ１５０を備えたＨＤＤについて詳述した。本実施形態によれば，ＨＤＤに外部から衝撃が加えられたり，或いは衝撃テスト過程でディスクが偏いたりしても，まず，データが記録されていないディスク１２０の外周端部がディスクプロテクタ１５４，２５４，３５４に接触するので，ディスク１２０のデータ記録面（データゾーン１２２）は，ディスクダンパ１５０に接触しない。また，ディスクダンパ１５０の設置過程でも，ディスクダンパ１５０がディスク１２０の記録面に接触する危険性を低減できる。したがって，本実施形態によれば，ディスク１２０とディスクダンパ１５０の接触により，ディスク１２０のデータ記録面が損傷されるという従来の問題点を解消できる。
【００５８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５９】
本発明は，外部衝撃からディスクのデータ記録面を保護するためのディスクプロテクタが設けられたディスクダンパと，これを備えるＨＤＤに好適に利用されうる。
【図面の簡単な説明】
【００６０】
【図１】本発明の第１の実施形態にかかるディスクダンパ及びディスクプロテクタを備えるＨＤＤを示す分解斜視図である。
【図２】図１に示されたＨＤＤを示す部分垂直断面図である。
【図３】図１に示されたディスクプロテクタの第１変形例を示す斜視図である。
【図４】図１に示されたディスクプロテクタの第２変形例を示す斜視図である。
【符号の説明】
【００６１】
１１１    ベース部材
１１２    カバー部材
１１９    締結スクリュー
１２０ａ，１２０ｂ    ディスク
１２１    パーキングゾーン
１２２    データゾーン
１２３    外周端部
１３０    スピンドルモータ
１３２    スペーサ
１３４    ディスククランプ
１４０    アクチュエータ
１４２    スライダー
１４４    サスペンション
１４６    スイングアーム
１４７    アクチュエータピボット
１４８    ＶＣＭ
１５０    ディスクダンパ
１５２    支持突起
１５４    ディスクプロテクタ
１５９    固定スクリュー
【図１】
2006019012.tif 000003
【図２】
2006019012.tif 000004
【図３】
2006019012.tif 000005
【図４】
2006019012.tif 000006